(57)【要約】    【課題】組立作業が簡単でコスト安価な画像読取装置の提供。    【解決手段】ＣＩＳユニット５０は、上方から下方に向かってキャリッジ５１に嵌め込まれる。ＣＩＳユニット５０の筐体７０は、その長手方向の両端面１０５に突起１０６を備える。この突起１０６は、円柱状に形成されている。キャリッジ５１の長手方向の両端面１１１に嵌合溝１１２が設けられている。この嵌合溝１１２は、上下方向に延び、上端が開放されている。嵌合溝１１２の幅寸法は、突起１０６の外径寸法に対応されている。突起１０６は、嵌合溝１１２に嵌め込まれた状態で短手方向に位置決めされる。【選択図】図５
2007013309.tif 000002
【特許請求の範囲】
【請求項１】
筐体並びに当該筐体に取り付けられた光源及び当該筐体の長手方向に並設された複数の受光素子を有するコンタクトイメージセンサと、
上面が開放され、当該上面に上記光源及び受光素子が露出するように上記コンタクトイメージセンサを囲繞保持する保持器とを備えた走査装置であって、
上記筐体及び保持器の上記長手方向に対向する一対の対向面のいずれか一方に、上記長手方向に延びる係合凸部が形成され、
上記筐体及び保持器の上記長手方向に対向する一対の対向面のいずれか他方に、上記係合凸部が一の方向へのみ相対移動されることによって嵌合すると共に上記コンタクトイメージセンサが上記保持器に囲繞保持される係合凹部が設けられており、
当該係合凹部は、上記筐体を当該筐体の短手方向に位置決めしつつ上下方向への移動を許容するように上記係合凸部をスライド自在に支持している走査装置。
【請求項２】
上記一の方向は、上下方向である請求項１に記載の走査装置。
【請求項３】
上記係合凸部は、上記保持器の上記長手方向の壁面に延設されており、
上記係合凹部は、上記筐体の上記長手方向の壁面に設けられている請求項１又は２に記載の走査装置。
【請求項４】
上記係合凸部は、上記筐体の上記長手方向の壁面に延設されており、
上記係合凹部は、上記保持器の上記長手方向の壁面に設けられている請求項１又は２に記載の走査装置。
【請求項５】
上記係合凸部は、上記筐体の上記短手方向の壁面に設けられた基部に延設されており、
上記係合凹部は、上記保持器の上記長手方向の壁面に設けられている請求項１又は２に記載の走査装置。
【請求項６】
上記係合凸部は、円柱状突片を有し、
上記係合凹部は、上記円柱状突片が嵌合可能な上下方向に延び且つ上端又は下端のいずれか一方が開放された嵌合溝を有しており、
上記円柱状突片の外径寸法及び上記嵌合溝の内径寸法は、上記円柱状突片が上記嵌合溝に対して上記短手方向にがたつくことなく嵌合するように設定されている請求項１から５のいずれかに記載の走査装置。
【請求項７】
上面に開口を有するケーシングと、
上記開口に露出するように上記ケーシングに取り付けられ、上記開口の周縁によって原稿載置面が区画されるコンタクトガラス板と、
上記ケーシングに設けられたガイドシャフトと、
上記コンタクトガラス板の内面に近接配置されると共にその中央部を上記ガイドシャフトによって支持され且つ当該ガイドシャフトに沿ってスライドし得るように設けられた上記請求項１から６のいずれかに記載の走査装置とを備え、
上記係合凹部に対する上記係合凸部のスライドストロークは、上記ケーシングの内面と上記保持器の下面との間の距離よりも大きく設定されている画像読取装置。
【発明の詳細な説明】
【技術分野】
【０００１】
本発明は、多機能装置（ＭＦＤ：Multi Function Device）等に採用される画像読取装置、特に、画像読取装置に組み込まれる走査装置の構造に関するものである。
【背景技術】
【０００２】
コピー機能、スキャナ機能その他の機能を有する多機能装置たる複合機（ＭＦＤ）は、一般に原稿を読み取る画像読取装置を備えている。この画像読取装置は、原稿を走査するための走査装置を搭載しており、この走査装置には、コンタクトイメージセンサ（Contact Image Sensor）を備えたものがある。
【０００３】
図８は、従来の走査装置の要部の構造を模式的に示す図である。同図が示すように、一般に走査装置１は、コンタクトイメージセンサ２及びこれを保持する保持器３を備えている。この保持器３は、図示されていない駆動装置を介して矢印９の方向に移動されるようになっており、したがって、コンタクトイメージセンサ２は、矢印９の方向に移動されつつ原稿を走査するようになっている（例えば、特許文献１及び特許文献２参照）。
【０００４】
【特許文献１】特開平１０−２４３１８１号公報
【特許文献２】特開平１１−１６８５９２号公報
【発明の開示】
【発明が解決しようとする課題】
【０００５】
ところで、このコンタクトイメージセンサ２は、当該走査装置１の製造過程において保持器３に組み付けられる。この組付作業は、作業者がコンタクトイメージセンサ２を把持し、当該コンタクトイメージセンサ２に突設された係合ピン４、５を、それぞれ、保持器３に設けられた係合孔６、７に嵌め込むというものである。通常、コンタクトイメージセンサ２には、その長手方向の仮想線８上に２つの係合ピン４、５が並設され、保持器３には、これに対応して２つの係合孔６、７が設けられている。そのため、作業者がコンタクトイメージセンサ２を把持しつつ２つの係合ピン４、５をぞれぞれ同時に２つの係合孔６、７に迅速に嵌め込む作業は、一般に容易ではなく熟練が必要である。
【０００６】
具体的には、作業者は、コンタクトイメージセンサ２を把持し、まず、保持器３に対して矢印１０の方向に相対的に回転させ、次に、係合ピン４、５と係合孔６、７とを位置合わせした状態で当該コンタクトイメージセンサ２を保持器３に対して矢印１１の方向に相対的に移動させる。そして、作業者は、このようにコンタクトイメージセンサ２を移動させつつ係合ピン４、５と係合孔６、７とを嵌合させ、両者が嵌合した状態で、コンタクトイメージセンサ２を上記矢印１０と反対方向に回転させる。これにより、コンタクトイメージセンサ２は、保持器３に嵌め込まれる。
【０００７】
すなわち、この組付作業において作業者は、コンタクトイメージセンサ２を矢印１０の方向に回転させる動作、一対の係合ピン４、５をそれぞれ係合孔６、７に嵌め合わせるためにコンタクトイメージセンサ２を矢印１１の方向に移動させる動作、及びコンタクトイメージセンサ２を保持器３に嵌め合わせるためにコンタクトイメージセンサ２を矢印１０と反対方向に回転させる動作を連続して行わなければならず、作業が煩雑となり、作業効率が低下して走査装置の製造コストが上昇してしまうという問題があった。さらに、上記組付作業が煩雑であることから、当該作業中に作業者の手がコンタクトイメージセンサ２のセンシング面１２に触れ、当該センシング面１２が皮脂やゴミ等で汚れてしまうおそれがあるという問題もあった。すなわち、上記センシング面１２が皮脂やゴミ等で汚れると、これらを除去するための清掃の手間が増えることになる。さらには、上記センシング面１２に皮脂が付着した場合、付着前のセンシング面１２と同じ状態に戻すのは困難であり、結果として読み取った画像の品質が低下してしまうおそれがある。
【０００８】
そこで、本発明の目的は、組立作業が簡単で汚損も防止でき、且つコスト安価な走査装置及びこれが採用された画像読取装置を提供することである。
【課題を解決するための手段】
【０００９】
(1) 上記目的が達成されるため、本発明に係る走査装置は、筐体並びに当該筐体に取り付けられた光源及び当該筐体の長手方向に並設された複数の受光素子を有するコンタクトイメージセンサと、上面が開放され、当該上面に上記光源及び受光素子が露出するように上記コンタクトイメージセンサを囲繞保持する保持器とを備えている。上記筐体及び保持器の上記長手方向に対向する一対の対向面のいずれか一方に、上記長手方向に延びる係合凸部が形成されている。また、上記筐体及び保持器の上記長手方向に対向する一対の対向面のいずれか他方に、上記係合凸部が一の方向へのみ相対移動されることによって嵌合すると共に上記コンタクトイメージセンサが上記保持器に囲繞保持される係合凹部が設けられている。この係合凹部は、上記筐体を当該筐体の短手方向に位置決めしつつ上下方向への移動を許容するように上記係合凸部をスライド自在に支持している。
【００１０】
コンタクトイメージセンサは、光源及び受光素子が筐体の上面に露出するように当該筐体に組み付けられる。そして、このコンタクトイメージセンサは、保持器に嵌め込まれることによって囲繞保持される。このとき、上記コンタクトイメージセンサの上面は、保持器の上面に露出する。このコンタクトイメージセンサは、具体的に、次の要領で保持器に組み付けられる。すなわち、作業者は、コンタクトイメージセンサの筐体を把持しつつ、これを例えば上方から保持器に嵌め込む。これにより、コンタクトイメージセンサは、簡単に保持器に収容保持される。詳述すれば、上記筐体及び保持器の上記長手方向に対向する一対の対向面に上記係合凸部及び係合凹部が設けられているから、作業者は、コンタクトイメージセンサを一の方向に沿って保持器に嵌め込むだけで、上記係合凸部と係合凹部とが嵌合し、その結果、当該コンタクトイメージセンサは、保持器に嵌め込まれる。この状態で、コンタクトイメージセンサは、上記短手方向に位置決めされる。
【００１１】
このように、作業者は、コンタクトイメージセンサを把持しつつ一の方向へのみ操作することによって、このコンタクトイメージセンサを保持器に嵌め込むことができるから、コンタクトイメージセンサの保持器への組付作業がきわめて簡単であるし、作業者は、この組付作業を行うに際し、上記筐体の側面（上記短手方向の壁面）のみを把持すれば十分である。したがって、作業者の手がコンタクトイメージセンサの上面に接触することが確実に防止され、当該組付作業において、コンタクトイメージセンサの上面（上記光源及び受光措置が配置されている面）が汚れることはない。
【００１２】
(2) 上記一の方向は、特に上下方向であるのが好ましい。これにより、作業者は、コンタクトイメージセンサを上方から下方へ移動させつつ保持器に嵌め込むだけで、上記係合凸部と係合凹部とが簡単に嵌合し、その結果、当該コンタクトイメージセンサは、保持器に一層簡単に嵌め込まれる。
【００１３】
(3) 上記係合凸部は、上記保持器の上記長手方向の壁面に延設され、上記係合凹部は、上記筐体の上記長手方向の壁面に設けられているのが好ましい。
【００１４】
(4) また、上記係合凸部が上記筐体の上記長手方向の壁面に延設され、上記係合凹部が上記保持器の上記長手方向の壁面に設けられていてもよい。
【００１５】
(5) さらに、上記係合凸部が上記筐体の上記短手方向の壁面に設けられた基部に延設され、上記係合凹部が上記保持器の上記長手方向の壁面に設けられていてもよい。
【００１６】
(6) 特に、上記係合凸部は、円柱状突片を有し、上記係合凹部は、上記円柱状突片が嵌合可能な上下方向に延び且つ上端又は下端のいずれか一方が開放された嵌合溝を有しているのが好ましい。そして、上記円柱状突片の外径寸法及び上記嵌合溝の内径寸法は、上記円柱状突片が上記嵌合溝に対して上記短手方向にがたつくことなく嵌合するように設定されているのが好ましい。この構成では、上記係合凸部及び係合凹部の構造がきわめて簡単であるから、当該走査装置が安価に構成され得る。
【００１７】
(7) また、上記目的が達成されるため、本発明に係る画像読取装置は、上面に開口を有するケーシングと、上記開口に露出するように上記ケーシングに取り付けられ、上記開口の周縁によって原稿載置面が区画されるコンタクトガラス板と、上記ケーシングに設けられたガイドシャフトと、上記コンタクトガラス板の内面に近接配置されると共にその中央部を上記ガイドシャフトによって支持され且つ当該ガイドシャフトに沿ってスライドし得るように設けられた前述の走査装置とを備えている。特に、上記係合凹部に対する上記係合凸部のスライドストロークは、上記ケーシングの内面と上記保持器の下面との間の距離よりも大きく設定されている。
【００１８】
この画像読取装置は、前述の走査装置を備えているので、コンタクトイメージセンサの保持器への組付作業がきわめて簡単であるし、この組付作業において、コンタクトイメージセンサの上面（上記光源及び受光措置が配置されている面）が汚れることもない。しかも、当該走査装置がコスト安価に構成されるから、画像読取装置の低廉化が図られる。加えて、上記係合凹部に対する上記係合凸部のスライドストロークは、上記ケーシングの内面と上記保持器の下面との間の距離よりも大きく設定されていることから、この画像読取装置の搬送中において、振動その他の要因により上記走査装置が上記ケーシングに対して変位したとしても、この走査装置が上記ガイドシャフトから脱落することはない。
【発明の効果】
【００１９】
本発明によれば、走査装置の組立作業がきわめて簡単であるから、走査装置及びこれが採用された画像読取装置が安価に製造される。
【発明を実施するための最良の形態】
【００２０】
以下、適宜図面が参照されつつ、好ましい実施形態に基づいて本発明が詳細に説明される。
【００２１】
図１は、本発明の一実施形態に係る画像読取装置３０の外観斜視図である。
【００２２】
この画像読取装置３０は、例えば、プリンタ機能とスキャナ機能とを一体的に備えた多機能装置（ＭＦＤ：Multi Function Device）のスキャナ部として、また、複写機の画像読取部として用いられ得る。ただし、本発明において、上記プリンタ機能は任意の機構であり、例えば、スキャナ機能のみを有するフラットベッドスキャナ（ＦＢＳ：Flatbed Scanner）として画像読取装置３０が構成されていてもよい。
【００２３】
同図が示すように、この画像読取装置３０は、ＦＢＳとして機能する読取載置台３１を備えており、この読取載置台３１に対して原稿押さえカバー３３が開閉自在に取り付けられている。この原稿押さえカバー３３は、オート・ドキュメント・フィーダ（ＡＤＦ：Auto Document Feeder）３２を備えている。読取載置台３１は、略直方体の本体フレーム３４（ケーシング）と、本体フレーム３４の天面（上面）に設けられたコンタクトガラス板３５と、本体フレーム３４に内蔵された画像読取ユニット３６とを有する。原稿は、コンタクトガラス板３５上に載置される。原稿押さえカバー３３が閉じられると、原稿は、当該原稿押さえカバー３３によって固定される。そして、上記画像読取ユニット３６がコンタクトガラス板３５の下方を当該コンタクトガラス板３５に沿って移動することによって、上記原稿から画像を読み取るようになっている。
【００２４】
読取載置台３１の正面側には、操作パネル３７が設けられている。操作パネル３７は、各種操作ボタン及び液晶表示部を備える。画像読取装置３０は、操作パネル３７からの指示によって動作するようになっている。なお、画像読取装置３０がＭＦＤとして構成される場合には、画像読取装置３０にコンピュータが接続され得る。その場合、画像読取装置３０は、操作パネル３７からの指示のほか、このコンピュータからスキャナドライバ等を介して送信される指示によっても動作することが可能である。
【００２５】
前述のように、原稿押さえカバー３３は、原稿トレイから排紙トレイへ原稿を連続搬送するＡＤＦ３２を備えている。このＡＤＦ３２による搬送過程において、原稿がプラテン３８を通過し、このプラテン３８の下方において画像読取ユニット３６が当該原稿から画像を読み取るようになっている。ただし、本実施形態において、このＡＤＦ３２は省略されていてもよい。
【００２６】
図２は、読取載置台３１の平面図であって、この読取載置台３１の内部構造を示している。図３は、読取載置台３１の断面図である。
【００２７】
図１及び図３が示すように、読取載置台３１の本体フレーム３４は、上面が開放された容器状の下フレーム３９と、上面４０に開口４１を有する上カバー４２とを備えており、下フレーム３９の上に上カバー４２が嵌め合わされることにより、本体フレーム３４が構成されている。上記コンタクトガラス板３５は、上記開口４１に露出するように、上カバー４２に取り付けられている。このコンタクトガラス板の表面９５は、原稿載置面を構成し、上記開口４１が原稿載置面を区画している。
【００２８】
図２が示すように、下フレーム３９内に上記画像読取ユニット３６が配設されている。下フレーム３９及び上カバー４２は、共に合成樹脂からなる。下フレーム４２は、底板を構成するベース部４３と、このベース部４３の周囲から起立した側壁４４と、区画板４５とを有し、これらは一体的に形成されている。この区画板４５は、画像読取ユニット３６が配設される部分と、操作パネル３７の基板等が配設される部分とを区画する。なお、下フレーム３９は、コンタクトガラス板３５を支持するための支持リブや、各種部材をネジ止めするためのボス部、電気配線等のための貫通孔等を備えている。ただし、これらは読取載置台３１の実施態様に応じて適宜設計されるものであるから、その詳細な説明は省略される。
【００２９】
画像読取ユニット３６は、図２が示すように、ＣＩＳユニット５０及びキャリッジ５１（走査装置）と、ガイドシャフト５２と、ベルト駆動機構５３とを備えている。また、画像読取ユニット３６は、同図では図示されていないローラユニット５８（図３参照）を備えている。図３が示すように、このローラーユニット５８は、コンタクトガラス板３５の裏面７５に当接し、ＣＩＳユニット５０の円滑な移動を支援する。ＣＩＳユニット５０は、いわゆる密着型のイメージセンサである。ＣＩＳユニット５０は、原稿に光を照射すると共にこの原稿からの反射光を受光し、受光した光を電気信号に変換する。ＣＩＳユニット５０は、後に詳述されるように、細長直方体状の筐体７０を備えており、この筐体７０が上記キャリッジ５１に嵌め込まれている。そして、このキャリッジ５１がコンタクトガラス板３５（図１及び図３参照）の下方を移動する。
【００３０】
具体的には、キャリッジ５１は、上記ガイドシャフト５２に嵌合している。このガイドシャフト５２は、下フレーム３９の幅方向に渡って架設されている。ここで、「下フレーム３９の幅方向」とは、ＣＩＳユニット５０の筐体７０の長手方向に直交し且つコンタクトガラス板３５の下面に沿う方向（すなわち、図３において、紙面に垂直な方向）である。以下、当該方向（図３における紙面に垂直な方向）は、「短手方向」と称される。このキャリッジ５１は、ベルト駆動機構５３により駆動されて上記ガイドシャフト５２上を摺動して移動する。このキャリッジ５１は、上記ＣＩＳユニット５０を保持し且つコンタクトガラス板３５に密着させるように付勢する。キャリッジ５１を付勢する手段は、既知であって、後述される通りである。このように、キャリッジ５１に保持されたＣＩＳユニット５０は、コンタクトガラス板３５に押しつけられ、当該コンタクトガラス板３５に沿って上記短手方向に移動されるようになっている。
【００３１】
図３が示すように、キャリッジ５１は、その上側に担持するようにして上記ＣＩＳユニット５０を搭載している。キャリッジ５１の下面には、ガイドシャフト５２を上方から跨ぐようにして嵌合するシャフト受け部５４が形成されている。このシャフト受け部５４とガイドシャフト５２とが嵌合しており、キャリッジ５１は、ガイドシャフト５２に担持された状態で当該ガイドシャフト５２の軸方向に摺動自在となっている。また、シャフト受け部５４の側方には、ベルト掴持部５５が下方へ突設されている。このベルト掴持部５５は、後述されるベルト駆動機構５３のタイミングベルト６１を掴む。これにより、このタイミングベルト６１とキャリッジ５１とが連結される。そして、ベルト駆動機構５３からキャリッジ５１に駆動力が伝達されることにより、キャリッジ５１は、ガイドシャフト５２上を移動する。
【００３２】
また、上記ＣＩＳユニット５０が搭載されるキャリッジ５１の内側に、バネ受け部５６が左右２箇所に形成されている。このバネ受け部５６は、コイルバネ５７を位置決めしつつ保持している。つまり、このコイルバネ５７は、ＣＩＳユニット５０とキャリッジ５１との間に介在されている。前述のように、ＣＩＳユニット５０は、このコイルバネ５７によってコンタクトガラス板３５側に付勢され、その下面に押し付けられている。
【００３３】
本実施形態では、本体フレーム３４の下カバー３９の底部は、図３が示すような凹凸形状を呈する。そして、上記キャリッジ５１がガイドシャフト５２に担持された状態で、下カバー３９の内底面４７（ケーシングの内面）とキャリッジ５１の下面４８との間に、所定の隙間４９が形成されるようになっている。
【００３４】
図３が示すように、上記ローラユニット５８は、ＣＩＳユニット５０の両端部に設けられている。このローラーユニット５８は、上記短手方向に転動するローラを備えており、このローラが上記コンタクトガラス板３５の裏面７５に当接している。したがって、ＣＩＳユニット５０が上記短手方向に移動したときは、これに伴って、上記ローラがコンタクトガラス板３５に沿って転動する。このローラユニット５８が設けられているので、ＣＩＳユニット５０がコンタクトガラス板３５の下面に押し付けられていても、ＣＩＳユニット５０は、コンタクトガラス板３５に沿って円滑に移動する。
【００３５】
図４は、読取載置台３１の平面図であって、ベルト駆動機構５３の概略構成を示している。
【００３６】
ベルト駆動機構５３は、図４が示すように、駆動プーリ５９と、従動プーリ６０と、これらの間に巻き架けられたタイミングベルト６１と、図示されていないモータとを備えている。タイミングベルト６１は、内側に歯が形成された無端ベルトである。上記モータが駆動プーリ５９を回転させることにより、上記タイミングベルト６１が周運動するように構成されている。
【００３７】
同図が示すように、駆動プーリ５９は、下フレーム３９の左奥に配設されている。この駆動プーリ５９に巻き架けられたタイミングベルト６１は、下フレーム３９の正面側へ延出し、ガイドシャフト５２の手前に配設された中間プーリ６２に巻き架けられている。さらに、このタイミングベルト６１は、略直角に曲折し、ガイドシャフト５２に沿って下フレーム３９の右端まで延出し、下フレーム３９の右端付近に配設された従動プーリ６０に巻き架けられている。すなわち、タイミングベルト６１は、同図が示すように、略Ｌ字状に架設されている。このように巻き架けられたタイミングベルト６１の従動プーリ６０から中間プーリ６２の間の部分、すなわちガイドシャフト５２に沿った部分は、上記キャリッジ５１のベルト掴持部５５によって掴まれており、これにより、タイミングベルト６１とキャリッジ５１とが連結されている。なお、タイミングベルト６１としては、無端ベルト以外に、ベルトの両端部がキャリッジ５１に固着された有端ベルトが採用されてもよいことは勿論である。
【００３８】
図５は、上記走査装置の拡大斜視図であって、ＣＩＳユニット５０とキャリッジ５１（保持器）との取付要領が詳細に示されている。
【００３９】
ＣＩＳユニット５０は、上記筐体７０と、筐体７０に設けられた光源及び受光素子とを備えている。このＣＩＳユニット５０は、後述のようにしてキャリッジ５１に嵌め込まれ、位置決め固定されている。
【００４０】
筐体７０は、例えば合成樹脂からなり、同図が示すように細長直方体状に形成されている。この筐体７０は、上記光源及び受光素子を内蔵している。筐体７０の上面７４は、コンタクトガラス板３５の裏面７５と対向している（図３参照）。したがって、上記光源及び受光素子もコンタクトガラス板３５の裏面７５と近接対向している。
【００４１】
上記光源は、典型的には、ＬＥＤ（Light Emitting Diode）及びライトガイド７３を備えている。このＬＥＤは、同図では図示されていないが、筐体７０の内奥部に配置されている。ライトガイド７３は、典型的には透明な合成樹脂からなり、筐体７０の長手方向全体に延びている。このライトガイド７３は、筐体７０の上面７４に露出しており、ＬＥＤから発せられた光は、ライトガイド７３によって筐体７０の長手方向全体に導かれる。これにより、ＬＥＤから発せられた光は、筐体７０の長手方向全体に略均等に分散され、原稿に照射される。
【００４２】
本実施形態では、筐体７０に複数の受光素子が設けられている。各受光素子は、筐体７０の内底部に配置されており、当該筐体７０の長手方向に並設されている。各受光素子は、集光レンズ７２を備えている。この集光レンズ７２は、筐体７０の上面７４に露出している。上記原稿に照射され反射された光は、集光レンズ７２によって集光され、受光素子によって受光されるようになっている。この受光素子は、光電変換素子であって、当該受光に基づいて電気信号を出力する。この電気信号が、原稿に表された画像の画像信号である。
【００４３】
上記筐体７０の長手方向の端面１０５（対向面）に突起１０６（係合凸部）が形成されている。この突起１０６は、本実施形態では円柱状突片である。この突起１０６は、筐体７０と一体的に形成されており、上記長手方向に所定長さだけ突出している。また、この筐体７０は、位置決め部１０７を備えている。この位置決め部１０７は、ブロック状に形成されており、上記筐体７０の短手方向の側面１０８に突設されている。位置決め部１０７は、位置決め溝１０９を備えている。この位置決め溝１０９は、上記キャリッジ５１に設けられた位置決め凸部１１０に嵌め合わされるようになっている。
【００４４】
一方、キャリッジ５１は、例えば合成樹脂からなり、同図が示すように、上面が開放された細長直方体状に形成されている。このキャリッジ５１は、ＣＩＳユニット５０を保持する保持器として機能する。キャリッジ５１の長手方向の端面１１１（対向面）に嵌合溝１１２（係合凹部）が設けられている。本実施形態では、この嵌合溝１１２は、上下方向（一の方向）に所定長さだけ延びており、当該嵌合溝１１２の上端は開放されている。また、この嵌合溝１１２の幅方向寸法（すなわち、上記短手方向寸法）は、上記突起１０６の外径寸法に対応されている。このため、上記突起１０６が上記嵌合溝１１２に嵌め込まれたときは、この突起１０６は、嵌合溝１１２に対して上下方向に自由に移動することができるが、上記短手方向への移動は規制され、位置決めされる。
【００４５】
上記嵌合溝１１２の長さは、上記突起１０６が当該嵌合溝１１２に対して上記隙間４９の寸法（図３参照）よりも大きく移動することができるように設定されている。すなわち、上記嵌合溝１１２に対する上記突起１０６のスライドストロークは、上記下カバー３９の内底面４７とキャリッジ５１の下面４８との間の隙間４９よりも大きくなるように設定されている。
【００４６】
また、キャリッジ５１は、その底部に凹部５６が設けられている。この凹部５６は、前述のバネ受け部５６（図３参照）を構成しており、このバネ受け部５６に上記コイルバネ５７が嵌め込まれている。そして、ＣＩＳユニット５０がこのキャリッジ５１に嵌め込まれた状態では、ＣＩＳユニット５０の筐体７０の下面が上記コイルバネ５７の上端に当接する。すなわち、ＣＩＳユニット５０は、キャリッジ５１内で常時上方に弾性的に付勢され、その結果、前述のように、ＣＩＳユニット５０がコンタクトガラス板３５の裏面７５に付勢される。なお、キャリッジ５１は、その構造物としての剛性を向上させるため、あるいはＣＩＳユニット５０を確実に位置決めするためのリブや孔等が設けられている。ただし、これらはＣＩＳユニット５０の実施態様等に応じて適宜設計されるものであるから、その詳細な説明は省略される。
【００４７】
本実施形態に係る画像読取装置３０では、上記走査装置は、次のような要領で組み立てられる。
【００４８】
上記ＣＩＳユニット５０では、筐体７０の上面７４に上記ライドガイド７３及び集光レンズ７２が露出するように光源及び受光素子が当該筐体７０に組み付けられる。そして、このＣＩＳユニット５０は、キャリッジ５１に嵌め込まれることによって前述のように囲繞保持される。このとき、ＣＩＳユニット５０の上面（筐体７０の上面７４）は、キャリッジ５１の上面に露出する。具体的には、ＣＩＳユニット５０は、次の要領でキャリッジ５１に組み付けられる。すなわち、作業者は、ＣＩＳユニット５０の筐体７０を把持しつつ、これを上方から下方へ向けてキャリッジ５１に嵌め込む。これにより、ＣＩＳユニット５０は、簡単にキャリッジ５１に収容保持される。
【００４９】
このように、作業者は、ＣＩＳユニット５０を把持しつつ一の方向（上下方向）へのみ操作することによって、このＣＩＳユニット５０をキャリッジ５１に簡単に嵌め込むことができ、その状態で、ＣＩＳユニット５０は、上記短手方向に位置決めされる。すなわち、ＣＩＳユニット５０のキャリッジ５１への組付作業がきわめて簡単であるし、作業者は、この組付作業を行うに際し、上記筐体７０の側面（上記短手方向の壁面）のみを把持すれば十分である。したがって、従来の走査装置では、ＣＩＳユニットをキャリッジに組み付ける際に、作業者は、ＣＩＳユニットの上面（すなわち、ライトガイドや集光レンズが露出した面）に手を触れないように注意深く作業を行う必要があったが、本実施形態では、作業者の手がＣＩＳユニット５０の上面（上記筐体７０の上面７４）に接触することが確実に防止されるので、作業者にとって当該組付作業が簡単であり、しかも、上記集光レンズ７２及びライトガイド７３が汚れることが防止されるという利点がある。その結果、本上記走査装置の組立コストが低減され、ひいては、画像読取装置３０の製造コストが低減される。
【００５０】
特に、本実施形態では、ＣＩＳユニット５０は、上方から下方へのみ移動されることによってキャリッジ５１に嵌め込まれるから、作業者にとって、ＣＩＳユニット５０をキャリッジ５１に組み付ける作業がきわめて簡単である。
【００５１】
また、本実施形態では、ＣＩＳユニット５０をキャリッジ５１に組み付けるために、ＣＩＳユニット５０側に上記円柱状突片からなる突起１０６が設けられ、他方、キャリッジ５１側に嵌合溝１１２が設けられている。これにより、ＣＩＳユニット５０をキャリッジ５１に組み付けるための構造が一層簡単になり、当該走査装置がより安価に構成され得るという利点がある。
【００５２】
さらに、図３が示すように、ＣＩＳユニット５０を保持したキャリッジ５１が下フレーム３９に取り付けられた状態で、上記嵌合溝１１２（図５参照）に対する上記突起１０６のスライドストロークは、上記下フレーム３９の内底面４７とキャリッジ５１の下面４８との間の隙間４９よりも大きいから、この画像読取装置３０の搬送中において、振動その他の要因により上記ＣＩＳユニット５０及びキャリッジ５１が下フレーム３９に対して変位したとしても、キャリッジ５１が上記ガイドシャフト５２から脱落することはないという利点もある。
【００５３】
次に、本実施形態の変形例について説明される。
【００５４】
図６は、本実施形態の第１の変形例に係る走査装置の拡大斜視図であって、ＣＩＳユニット５０とキャリッジ５１との取付要領が詳細に示されている。
【００５５】
本変形例に係る走査装置が上記実施形態に係る走査装置と異なるところは、上記実施形態に係る走査装置では、ＣＩＳユニット５０の筐体７０の長手方向の両側の端面１０５に上記突起１０６が形成され、キャリッジ５１の長手方向の両側の端面１１１に上記嵌合溝１１２が設けられていたのに対し、本変形例では、ＣＩＳユニット５０の筐体７０の長手方向の両側の端面１０５に嵌合溝１１４が設けられ（同図では、右側の嵌合溝１１４のみが図示されている。）、キャリッジ５１の長手方向の両側の端面１１１に突起１１５が形成されている点である。そして、このキャリッジ５１とＣＩＳユニット５０とが上下方向に嵌め合わされることにより、上記突起１１５と嵌合溝１１４とが嵌合し、ＣＩＳユニット５０がキャリッジ５１に位置決め保持される。なお、その他の構成については、上記実施形態と同様である。
【００５６】
上記キャリッジ５１に形成された突起１１５は、上記実施形態において上記筐体７０に設けられた突起１０６（図５参照）と同様の形状であるが、当該キャリッジ５１の内側に突出している。また、上記嵌合溝１１４は、当該筐体７０の長手方向の両端面１０５にそれぞれ設けられており、当該端面１０５が内側に切り欠かれるようにして形成されている。この嵌合溝１１４は、上記両端面１０５に上下方向に延びており、嵌合溝１１４の下端が開放されている。また、この嵌合溝１１４の幅方向寸法（すなわち、上記短手方向寸法）は、上記突起１１５の外径寸法に対応されている。したがって、上記実施形態と同様に、上記突起１１５が上記嵌合溝１１２に嵌め込まれたときは、この突起１０６は、嵌合溝１１２に対して上下方向に自由に移動することができるが、上記短手方向への移動は規制され、位置決めされる。なお、同図では、上記筐体７０の長手方向左側の端面に設けられた嵌合溝は、図示されていないが上記筐体７０の長手方向右側の端面１０５に設けられた嵌合溝１１４と同様の構成である。
【００５７】
次に、本実施形態の第２の変形例について説明される。
【００５８】
図７は、本実施形態の第２の変形例に係る走査装置の拡大斜視図であって、ＣＩＳユニット５０とキャリッジ５１との取付要領が詳細に示されている。
【００５９】
本変形例に係る走査装置が上記実施形態に係る走査装置と異なるところは、上記実施形態に係る走査装置では、ＣＩＳユニット５０の筐体７０の長手方向の両側の端面１０５に上記突起１０６が形成され、キャリッジ５１の長手方向の両側の端面１１１に上記嵌合溝１１２が設けられていたのに対し、本変形例では、ＣＩＳユニット５０の筐体７０の長手方向の右側の端面１０５に上記突起１０６が形成され、キャリッジ５１の長手方向の右側の端面１１１に上記嵌合溝１１２が設けられていると共に、当該キャリッジ５１の長手方向の左側の端面１１３に突起１１６が設けられ、上記筐体７０の長手方向の左側の端面に上記突起１１６が嵌合され得る嵌合溝（不図示）が設けられている点である。そして、このキャリッジ５１とＣＩＳユニット５０とが上下方向に嵌め合わされることにより、上記突起１０６及び上記嵌合溝１１２、並びに上記突起１１６及び上記図示されていない嵌合溝が嵌合し、ＣＩＳユニット５０がキャリッジ５１に位置決め保持される。なお、その他の構成については、上記実施形態と同様である。
【００６０】
当該図示されていない嵌合溝は、上記第１の変形例に係る嵌合溝１１４と同様の構成であり、上記キャリッジ５１に設けられた突起１１６が下方から嵌め込まれるように、当該嵌合溝の下端が開放されている。また、上記突起１１６は、上記実施形態において上記筐体７０に設けられた突起１０６（図５参照）と同様の形状であるが、当該キャリッジ５１の内側に突出している。すなわち、この突起１１６は、上記第１の変形例に係る突起１１５と同様の構成である。したがって、本変形例においても、上記実施形態と同様に、上記突起１０６が上記嵌合溝１１２に嵌め込まれたとき、及び上記突起１１６が上記図示されていない嵌合溝に嵌め込まれたときは、これら突起１０６、１１６は、嵌合溝１１２等に対して上下方向に自由に移動することができるが、上記短手方向への移動は規制され、位置決めされる。
【００６１】
次に、本実施形態の第３の変形例について説明される。
【００６２】
上記実施形態及び各変形例では、上記筐体７０及びキャリッジ５１の上記長手方向の端面１０５、１１１等のいずれか一方に上記突起１０６等が形成され、且つ上記長手方向の端面１０５、１１１等のいずれか他方に上記嵌合溝１１２等が設けられている。ただし、上記突起１０６等及び嵌合溝１１２等は、上記長手方向の端面１０５等に直接設けれている必要はない。
【００６３】
例えば、図５において、突起１０６は筐体７０の長手方向の端面１０５に直接設けれているが、上記実施形態の第３の変形例として、この突起１０６は、位置決め部１０７（基部）の端面１１７に突設されていてもよい。その場合、キャリッジ５１の長手方向の端面１１１に設けられる嵌合溝１１２の位置は、当該突起１０６の位置に対応して変更される。もっとも、上記突起１０６は、位置決め部１０７に形成されるほかに、上記筐体７０の短手方向の側面１０８に基部が設けられ、この基部の上記長手方向の端面に形成されていてもよいことは勿論である。
【産業上の利用可能性】
【００６４】
本発明は、複写機や複合機に採用される画像読取装置に適用され得る。
【図面の簡単な説明】
【００６５】
【図１】図１は、本発明の一実施形態に係る画像読取装置の外観斜視図である。
【図２】図２は、本発明の一実施形態に係る画像読取装置の読取載置台の平面図である。
【図３】図３は、本発明の一実施形態に係る画像読取装置の読取載置台の断面図である。
【図４】図４は、本発明の一実施形態に係る画像読取装置の読取載置台の平面図であって、ベルト駆動機構の構造を示している。
【図５】図５は、本発明の一実施形態に係る画像読取装置の走査装置の拡大斜視図である。
【図６】図６は、本発明の一実施形態の第１の変形例に係る画像読取装置の走査装置の拡大斜視図である。
【図７】図７は、本発明の一実施形態の第２の変形例に係る画像読取装置の走査装置の拡大斜視図である。
【図８】図８は、従来の走査装置の要部の構造を模式的に示す図である。
【符号の説明】
【００６６】
３０・・・画像読取装置
３４・・・本体フレーム
３６・・・画像読取ユニット
３９・・・下フレーム
４０・・・上面
４１・・・開口
４７・・・内底面
４８・・・キャリッジの下面
４９・・・隙間
５０・・・ＣＩＳユニット
５１・・・キャリッジ
５２・・・ガイドシャフト
５４・・・シャフト受け部
５６・・・バネ受け部
５７・・・コイルバネ
７０・・・筐体
７２・・・集光レンズ
７３・・・ライトガイド
７４・・・筐体の上面
７５・・・コンタクトガラス板の裏面
９５・・・コンタクトガラス板の表面
１０５・・・長手方向の端面
１０６・・・突起
１０７・・・位置決め部
１０８・・・短手方向の側面
１１１・・・長手方向の端面
１１２・・・嵌合溝
１１３・・・左側の端面
１１４・・・嵌合溝
１１５・・・突起
１１６・・・突起
１１７・・・位置決め部の端面
【図１】
2007013309.tif 000003
【図２】
2007013309.tif 000004
【図３】
2007013309.tif 000005
【図４】
2007013309.tif 000006
【図５】
2007013309.tif 000007
【図６】
2007013309.tif 000008
【図７】
2007013309.tif 000009
【図８】
2007013309.tif 000010